(57)【要約】【課題】不要な現物購入を伴うことなく決済システムを用いて遊技客による継続的かつ効率的な遊技を可能にすることを課題とする。【解決手段】デビットカード挿入口３４５に挿入されたデビットカードのカードＩＤとテンキー３２０により入力された暗証番号と決済要求額を受け付けて情報処理センタ５１０にデビット決済要求を行い、このデビット決済要求に応答して決済された決済額の一部に対応するパチンコ玉又はメダルを遊技媒体用受け皿３７３に投出させるとともに、決済額の残額の紙幣を紙幣排出口３８２に排出させる。【選択図】        図２
2006346124.tif 000002
【特許請求の範囲】
【請求項１】
遊技客による決済依頼を受け付けた際に、所定の金融機関のセンタ若しくはその代行センタに対して前記決済依頼に対応する決済要求を行なう決済端末装置であって、
前記遊技客が保有する前記金融機関により発行された記録媒体の識別情報及び該記録媒体に対応付けられた暗証番号並びに決済要求額を含む決済依頼を受け付ける決済依頼受付手段と、
前記決済依頼受付手段により決済依頼を受け付けた際に、前記金融機関のセンタ若しくはその代行センタに対して前記決済依頼に対応する決済要求を行なう決済要求手段と、
所定の貨幣排出口から貨幣を払い出す貨幣排出手段と、
前記遊技店に配設された遊技機で遊技する際に利用する遊技媒体を所定の受け皿に投出する遊技媒体投出手段と、
前記遊技媒体投出手段により前記決済要求手段による決済要求に応答して決済された決済額の一部に対応する遊技媒体を前記受け皿に投出させるよう制御するとともに、前記貨幣排出手段により前記決済額の残額を貨幣として前記貨幣排出口に排出させるよう制御する制御手段と
を備えたことを特徴とする決済端末装置。
【請求項２】
前記決済依頼受付手段は、所定の挿入口に挿入された前記記録媒体から識別情報を読み取る読取手段と、前記記憶媒体に対応する暗証番号、前記決済要求額、遊技媒体種別の選択指示及び決済開始指示に係る操作入力を受け付ける入力受付手段とを備えたことを特徴とする請求項１に記載の決済端末装置。
【請求項３】
前記制御手段は、各遊技機に併設される遊技媒体貸出機において一度の操作で貸し出される最小の遊技媒体数分の遊技媒体を前記遊技媒体投出手段から投出させ、該投出された遊技媒体に対応する額を前記決済額から除いた額の貨幣を前記貨幣排出手段から排出させるよう制御することを特徴とする請求項１又は２に記載の決済端末装置。
【請求項４】
遊技客による決済依頼を受け付けた際に、所定の金融機関のセンタ若しくはその代行センタに対して前記決済依頼に対応する決済要求を行なう決済端末装置であって、
前記遊技客が保有する前記金融機関により発行された記録媒体の識別情報及び該記録媒体に対応付けられた暗証番号並びに決済要求額を含む決済依頼を受け付ける決済依頼受付手段と、
前記決済依頼受付手段により決済依頼を受け付けた際に、前記金融機関のセンタ若しくはその代行センタに対して前記決済依頼に対応する決済要求を行なう決済要求手段と、
所定の貨幣排出口から貨幣を払い出す貨幣排出手段と、
前記遊技店に配設された遊技機で遊技する際に利用する遊技媒体を回収可能領域に投出する遊技媒体投出手段と、
所定の回収操作に応答して前記回収可能領域に所在する遊技媒体を回収する遊技媒体回収手段と、
前記遊技媒体投出手段により前記決済要求手段による決済要求に応答して決済された決済額の一部に対応する遊技媒体を前記回収可能領域に投出させ、所定の回収操作に応答して前記回収可能領域に投出された遊技媒体を前記遊技媒体回収手段により回収させ、前記貨幣排出手段により前記決済額を貨幣として前記貨幣排出口に排出させるよう制御する制御手段と
を備えたことを特徴とする決済端末装置。
【請求項５】
前記決済依頼受付手段は、所定の挿入口に挿入された前記記録媒体から識別情報を読み取る読取手段と、前記記憶媒体に対応する暗証番号、前記決済要求額、遊技媒体種別の選択指示、決済開始指示及び遊技媒体の回収指示に係る操作入力を受け付ける入力受付手段とを備えたことを特徴とする請求項４に記載の決済端末装置。
【請求項６】
有価価値が価値付けられた遊技用記録媒体を発行する遊技用記録媒体発行機に併設され、遊技客による決済依頼を受け付けた際に、所定の金融機関のセンタ若しくはその代行センタに対して前記決済依頼に対応する決済要求を行なう決済端末装置であって、
前記遊技客が保有する前記金融機関により発行された記録媒体の識別情報及び該記録媒体に対応付けられた暗証番号並びに決済要求額を含む決済依頼を受け付ける決済依頼受付手段と、
前記決済依頼受付手段により決済依頼を受け付けた際に、前記金融機関のセンタ若しくはその代行センタに対して前記決済依頼に対応する決済要求を行なう決済要求手段と、
前記決済要求手段による決済要求に応答して決済された決済額の一部に対応する遊技媒体を投出するとともに前記決済額の残額を貨幣として排出するよう前記遊技用記録媒体発行機に通知する通知手段と
を備えたことを特徴とする決済端末装置。
【請求項７】
遊技客による決済依頼を受け付けた際に、所定の金融機関のセンタ若しくはその代行センタに対して前記決済依頼に対応する決済要求を行なう決済端末装置の決済制御方法であって、
前記遊技客が保有する前記金融機関により発行された記録媒体の識別情報及び該記録媒体に対応付けられた暗証番号並びに決済要求額を含む決済依頼を受け付ける決済依頼受付工程と、
前記決済依頼受付工程により決済依頼を受け付けた際に、前記金融機関のセンタ若しくはその代行センタに対して前記決済依頼に対応する決済要求を行なう決済要求工程と、
前記決済要求工程による決済要求に応答して決済された決済額の一部に対応する遊技媒体を受け皿に投出するとともに、前記決済額の残額を貨幣として排出する制御工程と
を含んだことを特徴とする決済制御方法。
【発明の詳細な説明】
【技術分野】
【０００１】
本発明は、遊技客による決済依頼を受け付けた際に、所定の金融機関のセンタ若しくはその代行センタに対して決済依頼に対応する決済要求を行なう決済端末装置及びその決済制御方法に関し、特に、不要な現物購入を伴うことなく決済システムを用いて遊技客による継続的かつ効率的な遊技を可能にする決済端末装置及びその決済制御方法に関する。
【背景技術】
【０００２】
従来、パチンコ店等の遊技店では、現金若しくは現金で購入したプリペイドカードによってパチンコ玉等の遊技媒体を借り受け、借り受けた遊技媒体を用いてパチンコ機等の遊技機で遊技を行うのが一般的であった。このため、遊技客が所持する現金がなくなった場合には、該遊技客が銀行に赴いて現金を取得する必要があり遊技を一時中断する必要がある。かかる遊技の一時中断をなくすため、最近ではデビットシステム等の決済システムを用いてこの現金不足による遊技中断を解消する技術が注目されている。
【０００３】
例えば、特許文献１には、決済処理端末を用いて情報処理センタにデビット決済依頼を行い、デビット決済完了後に媒体発行機から決済金額に応じたプリペイドカード等の媒体を発行するよう構成した遊技システムが開示されている。この特許文献１を用いると、遊技客の手持ちの現金がなくなったとしてもデビットカード（キャッシュカード）を用いてプリペイドカード等を購入できるので、遊技客が銀行に赴かなくとも遊技を継続することができる。
【０００４】
【特許文献１】特開２００１−３５３３３９号公報
【発明の開示】
【発明が解決しようとする課題】
【０００５】
しかしながら、この特許文献１を用いてプリペイドカードを購入したとしても、このプリペイドカードに対応していない遊技機で遊技客が遊技したい場合には、プリペイドカードを購入する意味がない。例えば、現在広く普及しているパチスロ機では現金でメダルを借り受けるのが通常であり、現金を投入してパチンコ玉を借り受ける現金対応のパチンコ機（現金機）がプリペイドカード対応のパチンコ機と並列的に遊技店に導入されているのが実情であるので、かかるプリペイドカードを購入できたとしても、このパチスロ機や現金機による継続的な遊技を行うことはできない。
【０００６】
このため、これらの遊技機で継続的に遊技するためには、デビットシステム等で決済された決済額を現金化する必要が生ずるが、プリペイドカードを現金に精算する精算機が遊技店内に設けられていない場合には、遊技客は銀行に赴いて現金を入手する他ない。
【０００７】
ここで、デビットシステム等で決済された決済額でプリペイドカードを購入するのではなく、この決済額を直接現金でキャッシュアウトすることも考えられるが、かかるキャッシュアウトは法規制上認められていない。また、特許文献１に記載されるように、決済額の一部でプリペイドカードを購入し残額を釣り銭で払い出すことも考えられるが、かかる場合であってもパチスロ遊技を行う遊技客は不要なプリペイドカードを購入せねばならないという問題がある。さらに、この特許文献１を応用して決済額の一部で飲料等を現物販売し、残りを釣り銭として払い出すことも考えられるが、かかる場合にも不要な飲料等の現物を遊技客が購入せねばならないという問題がある。
【０００８】
このため、不要な現物購入を伴うことなく決済システムを用いて遊技客による継続的かつ効率的な遊技を可能にする決済端末装置をいかにして実現するかが大きな課題となっている。
【０００９】
この発明は、上記課題（問題点）に鑑みてなされたものであり、不要な現物購入を伴うことなく決済システムを用いて遊技客による継続的かつ効率的な遊技を可能にする決済端末装置及びその決済制御方法を提供することを目的とする。
【課題を解決するための手段】
【００１０】
上述した課題を解決するため、本発明は、遊技客による決済依頼を受け付けた際に、所定の金融機関のセンタ若しくはその代行センタに対して前記決済依頼に対応する決済要求を行なう決済端末装置であって、前記遊技客が保有する前記金融機関により発行された記録媒体の識別情報及び該記録媒体に対応付けられた暗証番号並びに決済要求額を含む決済依頼を受け付ける決済依頼受付手段と、前記決済依頼受付手段により決済依頼を受け付けた際に、前記金融機関のセンタ若しくはその代行センタに対して前記決済依頼に対応する決済要求を行なう決済要求手段と、所定の貨幣排出口から貨幣を払い出す貨幣排出手段と、前記遊技店に配設された遊技機で遊技する際に利用する遊技媒体を所定の受け皿に投出する遊技媒体投出手段と、前記遊技媒体投出手段により前記決済要求手段による決済要求に応答して決済された決済額の一部に対応する遊技媒体を前記受け皿に投出させるよう制御するとともに、前記貨幣排出手段により前記決済額の残額を貨幣として前記貨幣排出口に排出させるよう制御する制御手段とを備えたことを特徴とする。
【００１１】
また、本発明は、上記発明において、前記決済依頼受付手段は、所定の挿入口に挿入された前記記録媒体から識別情報を読み取る読取手段と、前記記憶媒体に対応する暗証番号、前記決済要求額、遊技媒体種別の選択指示及び決済開始指示に係る操作入力を受け付ける入力受付手段とを備えたことを特徴とする。
【００１２】
また、本発明は、上記発明において、前記制御手段は、各遊技機に併設される遊技媒体貸出機において一度の操作で貸し出される最小の遊技媒体数分の遊技媒体を前記遊技媒体投出手段から投出させ、該投出された遊技媒体に対応する額を前記決済額から除いた額の貨幣を前記貨幣排出手段から排出させるよう制御することを特徴とする。
【００１３】
また、本発明は、遊技客による決済依頼を受け付けた際に、所定の金融機関のセンタ若しくはその代行センタに対して前記決済依頼に対応する決済要求を行なう決済端末装置であって、前記遊技客が保有する前記金融機関により発行された記録媒体の識別情報及び該記録媒体に対応付けられた暗証番号並びに決済要求額を含む決済依頼を受け付ける決済依頼受付手段と、前記決済依頼受付手段により決済依頼を受け付けた際に、前記金融機関のセンタ若しくはその代行センタに対して前記決済依頼に対応する決済要求を行なう決済要求手段と、所定の貨幣排出口から貨幣を払い出す貨幣排出手段と、前記遊技店に配設された遊技機で遊技する際に利用する遊技媒体を回収可能領域に投出する遊技媒体投出手段と、所定の回収操作に応答して前記回収可能領域に所在する遊技媒体を回収する遊技媒体回収手段と、前記遊技媒体投出手段により前記決済要求手段による決済要求に応答して決済された決済額の一部に対応する遊技媒体を前記回収可能領域に投出させ、所定の回収操作に応答して前記回収可能領域に投出された遊技媒体を前記遊技媒体回収手段により回収させ、前記貨幣排出手段により前記決済額を貨幣として前記貨幣排出口に排出させるよう制御する制御手段とを備えたことを特徴とする。
【００１４】
また、本発明は、上記発明において、前記決済依頼受付手段は、所定の挿入口に挿入された前記記録媒体から識別情報を読み取る読取手段と、前記記憶媒体に対応する暗証番号、前記決済要求額、遊技媒体種別の選択指示、決済開始指示及び遊技媒体の回収指示に係る操作入力を受け付ける入力受付手段とを備えたことを特徴とする。
【００１５】
また、本発明は、有価価値が価値付けられた遊技用記録媒体を発行する遊技用記録媒体発行機に併設され、遊技客による決済依頼を受け付けた際に、所定の金融機関のセンタ若しくはその代行センタに対して前記決済依頼に対応する決済要求を行なう決済端末装置であって、前記遊技客が保有する前記金融機関により発行された記録媒体の識別情報及び該記録媒体に対応付けられた暗証番号並びに決済要求額を含む決済依頼を受け付ける決済依頼受付手段と、前記決済依頼受付手段により決済依頼を受け付けた際に、前記金融機関のセンタ若しくはその代行センタに対して前記決済依頼に対応する決済要求を行なう決済要求手段と、前記決済要求手段による決済要求に応答して決済された決済額の一部に対応する遊技媒体を投出するとともに前記決済額の残額を貨幣として排出するよう前記遊技用記録媒体発行機に通知する通知手段とを備えたことを特徴とする。
【００１６】
また、本発明は、遊技客による決済依頼を受け付けた際に、所定の金融機関のセンタ若しくはその代行センタに対して前記決済依頼に対応する決済要求を行なう決済端末装置の決済制御方法であって、前記遊技客が保有する前記金融機関により発行された記録媒体の識別情報及び該記録媒体に対応付けられた暗証番号並びに決済要求額を含む決済依頼を受け付ける決済依頼受付工程と、前記決済依頼受付工程により決済依頼を受け付けた際に、前記金融機関のセンタ若しくはその代行センタに対して前記決済依頼に対応する決済要求を行なう決済要求工程と、前記決済要求工程による決済要求に応答して決済された決済額の一部に対応する遊技媒体を受け皿に投出するとともに、前記決済額の残額を貨幣として排出する制御工程とを含んだことを特徴とする。
【発明の効果】
【００１７】
本発明によれば、遊技客が保有する金融機関により発行された記録媒体の識別情報及び該記録媒体に対応付けられた暗証番号並びに決済要求額を含む決済依頼を受け付けた際に、金融機関のセンタ若しくはその代行センタに対して決済依頼に対応する決済要求を行ない、この決済要求に応答して決済された決済額の一部に対応する遊技媒体を受け皿に投出させるとともに、決済額の残額を貨幣として排出口に排出させるよう構成したので、遊技客は遊技に直接使用できる遊技媒体と貨幣を入手できるため、プリペイドカードや飲料等の不要な現物購入を伴うことなく決済システムを用いて継続的かつ効率的に遊技を行うことができる。
【００１８】
また、本発明によれば、所定の挿入口に挿入された記録媒体から識別情報を読み取り、この記憶媒体に対応する暗証番号、決済要求額、遊技媒体種別の選択指示及び決済開始指示に係る操作入力を受け付けるよう構成したので、例えば遊技客がメダルを遊技媒体種別として選択指示することにより、この遊技客はメダルと貨幣を入手できるため、決済システムを用いた形態でパチスロ遊技を継続して行うことができる。また、遊技客がパチンコ玉を遊技媒体種別として選択指示することにより、この遊技客はパチンコ玉と貨幣を入手できるため、決済システムを用いた形態で現金機のパチンコ遊技を継続して行うことができる。
【００１９】
また、本発明によれば、各遊技機に併設される遊技媒体貸出機において一度の操作で貸し出される最小の遊技媒体数分の遊技媒体を投出させ、該投出された遊技媒体に対応する額を決済額から除いた額の貨幣を排出させるよう構成したので、遊技客が遊技台まで持ち運ぶ遊技媒体数を減らして遊技客の利便性を高めるとともに、決済端末装置内部に貯留する遊技媒体数を低減して遊技媒体の補給等に係わる人的労力を軽減することができる。
【００２０】
また、本発明によれば、遊技客が保有する金融機関により発行された記録媒体の識別情報及び該記録媒体に対応付けられた暗証番号並びに決済要求額を含む決済依頼を受け付けた際に、金融機関のセンタ若しくはその代行センタに対して決済依頼に対応する決済要求を行ない、この決済要求に応答して決済された決済額の一部に対応する遊技媒体を回収可能領域に投出させ、所定の回収操作に応答して回収可能領域に投出された遊技媒体を回収させ、決済額を貨幣として貨幣排出口に排出させるよう構成したので、一旦遊技媒体を投出した後にこの遊技媒体を回収して精算し、その結果として決済額を全額キャッシュアウトし、もって遊技客が遊技媒体を持ち運ばなくとも遊技を継続することができる。
【００２１】
また、本発明によれば、所定の挿入口に挿入された記録媒体から識別情報を読み取り、この記憶媒体に対応する暗証番号、決済要求額、遊技媒体種別の選択指示、決済開始指示及び遊技媒体の回収指示に係る操作入力を受け付けるよう構成したので、回収指示操作という遊技客による明示的な操作をトリガとして全額キャッシュアウトを行うことができる。
【００２２】
また、本発明によれば、遊技客が保有する金融機関により発行された記録媒体の識別情報及び該記録媒体に対応付けられた暗証番号並びに決済要求額を含む決済依頼を受け付けた際に、金融機関のセンタ若しくはその代行センタに対して決済依頼に対応する決済要求を行ない、この決済要求に応答して決済された決済額の一部に対応する遊技媒体を投出するとともに決済額の残額を貨幣として排出するよう遊技用記録媒体発行機に通知するよう構成したので、決済端末装置自体に貨幣排出手段及び遊技媒体投出手段等を設けなくとも、比較的筐体の大きい遊技用記録媒体発行機に設けられた貨幣排出手段及び遊技媒体投出手段を用いて、遊技媒体の投出及び貨幣の排出を行うことができ、これにより決済端末装置の省スペース化及び低コスト化を図ることができる。
【発明を実施するための最良の形態】
【００２３】
以下に添付図面を参照して、本発明に係る決済端末装置及び決済制御方法の好適な実施例を詳細に説明する。なお、ここでは決済システムの一例としてデビット決済システムを用いるとともに、下記に示す実施例１では決済額を遊技媒体及び紙幣として払い出す場合を示し、実施例２では決済額全額を紙幣として払い出す場合を示すこととする。
【実施例１】
【００２４】
まず、本実施例１に係るデビット決済システムの全体構成について説明する。図１は、本実施例１に係るデビット決済システムの全体構成を示す図である。同図に示すように、このデビット決済システムは、パチンコ店に配設されるデビット端末３００が公衆回線網５００を介して情報処理センタ５１０に接続され、この情報処理センタ５１０がクリアリングセンタ５２１を内在するＣＡＦＩＳ（Credit and Finance Information System）ネットワーク５２０を介してデビットカード発行銀行５３０及び加盟店銀行５４０に接続されるシステム構成となる。
【００２５】
このパチンコ店内には、パチンコ機１００に玉貸出機１１０を併設するとともに、パチスロ機１２０にメダル貸出機１３０を併設し、この玉貸出機１１０及びメダル貸出機１３０が島コントローラ２００を介してターミナルコントローラ（Ｔ／Ｃ）４００に接続されている。そして、上記デビット端末３００は、この島コントローラ２００に接続されている。
【００２６】
パチンコ機１００は、パチンコ玉を遊技領域に発射して遊技客が遊技を行う遊技機であり、玉貸出機１１０は、このパチンコ機１００に併設され、所定の紙幣挿入口に紙幣を挿入して遊技媒体であるパチンコ玉を貸し出す処理機である。ここでは、この玉貸出機１１０がいわゆるプリペイドカード対応型（ＣＲ対応型）のカード処理ユニットを内在しないものとする。このように、かかるパチンコ機１００はいわゆる現金機であるため、このパチンコ機１００で継続的にパチンコ遊技を行うためには、遊技客が紙幣を玉貸出機１１０に挿入してパチンコ玉を借り受ける必要がある。
【００２７】
パチスロ機１２０は、遊技客がメダルを投入した後にレバーを操作してドラムを回転させ、ストップボタンを押下してドラムに付された絵柄を揃える遊技を行う遊技機であり、メダル貸出機１３０は、このパチスロ機１２０に併設され、所定の紙幣挿入口に紙幣を挿入して遊技媒体であるメダルを貸し出す処理機である。ここでは、このメダル貸出機１３０がいわゆるプリペイドカード対応型（ＣＲ対応型）のカード処理ユニットを内在しないものとする。このように、かかるパチスロ機１２０はいわゆるＣＲパチスロ機ではないので、このパチスロ機１２０で継続的にパチスロ遊技を行うためには、遊技客が紙幣をメダル貸出機１３０に挿入してメダルを借り受ける必要がある。
【００２８】
島コントローラ２００は、各島に配設されたパチンコ機１００、玉貸出機１１０、パチスロ機１２０及びメダル貸出機１３０並びにデビット端末３００等を管理する装置であり、各装置とＴ／Ｃ４００との間のデータ中継を行う。
【００２９】
デビット端末３００は、銀行カード（デビットカード）、該デビットカードに対応付けられた暗証番号及び決済要求額を受け付けた場合には、この決済要求額のデビット決済要求を公衆回線網５００を介して情報処理センタ５１０に対して行う端末装置である。Ｔ／Ｃ４００は、パチンコ店に少なくとも１台設置してあり、設置したパチンコ店の統括管理や売上管理等を行う管理装置である。
【００３０】
情報処理センタ５１０は、デビット端末３００からのデビット決済要求を受け付ける窓口であり、かかるデビット決済要求を受け付けたならば、ＣＡＦＩＳネットワーク５２０を介して遊技客（利用者）の銀行口座が設けられているデビットカード発行銀行５３０に対して残高問い合わせを行い、決済要求額以上の口座残高がある場合には決済処理を行う。この決済処理に応答して、デビットカード発行銀行５３０の遊技客の銀行口座から加盟店銀行５４０の情報処理センタの口座に決済要求額が引き落とされ、この加盟店銀行５４０の情報処理センタの口座から△△銀行５５０のパチンコ店の口座にまとめて決済額が振り込まれる。
【００３１】
図２は、図１に示したデビット端末３００の外観構成を示す正面図である。同図に示すように、このデビット端末３００の前面には、表示部３１０、テンキー３２０、デビットカード挿入口３４５、ご利用控出力口３３５、紙幣排出口３８２及び遊技媒体用受け皿３７３が設けられている。
【００３２】
ここで、この正面図を用いてデビット端末３００の操作概要を説明すると、まず遊技客は、デビットカード挿入口３４５にデビットカードを挿入するとともにテンキー３２０を用いて暗証番号と決済要求額を入力する。また、このデビット端末３００では、決済額の一部を遊技媒体として遊技媒体用受け皿３７３として投出し残りを紙幣で排出するため、この遊技媒体用受け皿３７３に投出する遊技媒体の種別すなわちパチンコ玉かメダルかをタッチパネル化されている表示部３１０上で選択する。遊技客によりデビット決済取引に必要な入力操作（デビットカードの挿入、暗証番号の入力及び決済要求額の入力）が行われると、デビット端末３００は情報処理センタ５１０に対してデビット決済要求を行う。
【００３３】
その後、情報処理センタ５１０によりデビット決済要求がデビット決済されると、選択された遊技媒体を所定数遊技媒体用受け皿３７３に払い出すとともに、残額の紙幣を紙幣排出口３８２から排出し、ご利用控出力口３３５からレシートを出力する。同図においては、表示部３１０上でメダルが選択され、遊技媒体用受け皿３７３に所定枚数のメダルを払い出す場合を示している。
【００３４】
このようにして、遊技客は、デビット端末３００を用いて所定数の遊技媒体と紙幣を取得することができるため、この遊技客が銀行に赴かなくとも現金対応のパチンコ機１００やパチスロ機１２０で遊技を継続することができる。
【００３５】
図３は、図１に示したデビット端末３００の内部構成を示す機能ブロック図である。同図に示すように、このデビット端末３００は、表示部３１０、テンキー３２０、印字部３３０、デビットカード処理部３４０、通信インターフェース部（通信Ｉ／Ｆ部）３５０、通信インターフェース部（通信Ｉ／Ｆ部）３６０、玉／メダル投出制御部３７０、メダル投出機構３７１、パチンコ玉投出機構３７２、紙幣払出処理部３８０、ビルバリユニット３８１及び制御部３９０を有する。
【００３６】
表示部３１０は、タッチパネル型の液晶パネル等で形成される表示デバイスであり、遊技客がデビット決済取引を行う際に必要になる各種表示や遊技客による選択入力を受け付ける。具体的には、ここでは払い出す遊技媒体の種別（パチンコ玉又はメダル）をこの表示部３１０を用いて選択入力させることとしている。
【００３７】
テンキー３２０は、遊技客がデビット決済取引を行う際に必要になる情報すなわち暗証番号や決済要求額の入力を行うための入力デバイスであり、印字部３３０は、デビット決済取引終了後のデビット明細をレシートとして印字するための小型プリンタである。この印字部３３０で印字されたレシートは、ご利用控出力口３３５から排出される。
【００３８】
デビットカード処理部３４０は、デビットカード挿入口３４５から挿入されたデビットカードからカード識別情報（カードＩＤ）を読み取って制御部３９０に出力するカードリーダである。通信Ｉ／Ｆ部３５０は、公衆回線網４５０を介して情報処理センタ５１０とデータ通信するためのインターフェース部であり、通信Ｉ／Ｆ部３６０は、島コントローラ２００を介してＴ／Ｃ４００と通信を行うためのインターフェース部である。
【００３９】
玉／メダル投出制御部３７０は、表示部３１０上で選択入力された遊技媒体の種別（パチンコ玉又はメダル）に応答する遊技媒体の投出制御を行う制御部であり、例えばメダルが選択された場合には、メダル投出機構３７１に対してメダルの投出指示を行い、パチンコ玉が選択された場合には、パチンコ玉投出機構３７２に対して所定数のパチンコ玉の投出指示を行うことになる。なお、この玉／メダル投出制御部３７０は、後述する制御部３９０によりなされたデビット決済依頼がデビット決済された後に投出指示を行う。
【００４０】
この玉／メダル投出制御部３７０は、どの程度の量の遊技媒体を投出させるかが問題となるが、かかるデビット端末３００から投出する遊技媒体はできるだけ少ない方が望ましい。その理由は、多くの遊技媒体を投出することにすると、メダル投出機構３７１に設けるメダルホッパやパチンコ玉投出機構３７２に設けるパチンコ玉ホッパの容量を大きくせなばならず、装置の大型化やコストアップが必要になるからである。また、遊技客にとっても、遊技途中で大当たりが発生する可能性があるのでこのデビット端末３００から多くの遊技媒体の提供を受ける必要がなく、加えてデビット端末３００からパチンコ機１００やパチスロ機１２０にパチンコ玉やメダルを運搬することも考えると、さほど多くの遊技媒体を投出する必要がない。
【００４１】
このため、玉貸出機１１０で一度の操作で貸し出される最小数のパチンコ玉（通常は５００円分＝１２５玉）、メダル貸出機１３０で一度の操作で貸し出される最小数のメダル（通常は１０００円分＝５０枚）の遊技媒体を投出することが望ましい。ただし、本実施例１では、５００円分のパチンコ玉を投出するとなると硬貨を投出するコインメックを搭載する必要が生じてしまい、却ってコストアップを招くため、１０００円分のパチンコ玉（２５０玉）若しくは１０００円分のコイン（５０枚）を所定数として投出することとする。
【００４２】
メダル投出機構３７１は、メダルを貯留するメダルホッパを内蔵し、玉／メダル投出制御部３７０から投出指示を受け付けた場合に、指示された数分のメダルを遊技媒体用受け皿３７３に投出する機構である。パチンコ玉投出機構３７２は、パチンコ玉を貯留するパチンコ玉ホッパを内蔵し、玉／メダル投出制御部３７０から投出指示を受け付けた場合に、指示された数分のパチンコ玉を遊技媒体用受け皿３７３に投出する機構である。
【００４３】
紙幣払出処理部３８０は、メダル投出機構３７１により投出指示されるメダル枚数又はパチンコ玉数に対応する額を決済額から減算した額の紙幣を払い出すようビルバリユニット３８１に指示する処理部である。本実施例１では、メダル投出機構３７１により１０００円分のパチンコ玉若しくはメダルが投出指示されるため、決済額から１０００円を減算した額の紙幣を払い出すようビルバリユニット３８１に指示することになる。ビルバリユニット３８１は、あらかじめ紙幣を貯留しておき、紙幣払出処理部３８０から指示された枚数分の紙幣を紙幣排出口３８２に排出するユニットである。
【００４４】
制御部３９０は、デビット端末３００の全体制御を行う制御部であり、具体的には、公衆回線網５００を介して情報処理センタ５１０にデビット決済要求を行う処理、Ｔ／Ｃ４００との通信を行う処理、デビット決済完了後に玉／メダル投出制御部３７０及び紙幣払出処理部３８０に対してパチンコ玉／メダル及び紙幣の排出をそれぞれ指示する処理等を行う。
【００４５】
次に、図１に示したデビット端末３００の処理手順について説明する。図４は、図１に示したデビット端末３００の処理手順を示すフローチャートである。同図に示すように、このデビット端末３００は、デビットカード挿入口３４５に挿入されたデビットカードを受け付け（ステップＳ１０１）、デビットカード処理部３４０がこのデビットカードからカードＩＤを読み取る。
【００４６】
また、テンキー３２０を使って顧客により入力された暗証番号及び決済要求額を受け付け（ステップＳ１０２〜Ｓ１０３）、情報処理センタ５１０に対して決済要求を行う（ステップＳ１０４）。その結果、情報処理センタ５１０が残高不足等を理由に決済要求を受け付けない場合には（ステップＳ１０５否定）、決済未完を表示部３１０に表示して（ステップＳ１１１）処理を終了する。処理終了後、挿入されたデビットカードを返却する（ステップＳ１１３）。
【００４７】
これに対して、情報処理センタ５１０から決済完了通知を受け取った場合には（ステップＳ１０５肯定）、投出する遊技媒体種別を表示部３１０上に表示して遊技客によるパチンコ玉又はメダルの指示選択を受け付け（ステップＳ１０６）、投出するパチンコ玉数若しくはメダル数と釣り銭を算出する（ステップＳ１０７）。本実施例１では１０００円分のパチンコ玉又はメダルを投出することとしているので、決済額から１０００円を除いた額が釣り銭となる。
【００４８】
そして、算出されたパチンコ玉又はメダルを遊技媒体用受け皿３７３に投出するとともに（ステップＳ１０８）、釣り銭の紙幣を紙幣排出口３８２に払い出し（ステップＳ１０９）、表示部３１０上に取引完了を表示する（ステップＳ１１０）。取引完了後、ご利用控え出力口３３５からレシートを発行し（ステップＳ１１２）、挿入されたデビットカードを返却する（ステップＳ１１３）。
【００４９】
上述してきたように、本実施例１では、デビットカード挿入口３４５に挿入されたデビットカードのカードＩＤとテンキー３２０により入力された暗証番号と決済要求額を受け付けて情報処理センタ５１０にデビット決済要求を行い、このデビット決済要求に応答して決済された決済額の一部に対応するパチンコ玉又はメダルを遊技媒体用受け皿３７３に投出させるとともに、決済額の残額の紙幣を紙幣排出口３８２に排出させるよう構成したので、遊技客は遊技に直接使用できるパチンコ玉若しくはメダルと紙幣を入手できるため、プリペイドカードや飲料等の不要な現物購入を伴うことなくデビット決済システムを用いて継続的かつ効率的に遊技を行うことができる。
【００５０】
なお、本実施例１では、１０００円分のパチンコ玉又はメダルを投出し、決済額の残りを紙幣で払い出す場合を示したが、本発明はこれに限定されるものではなく、投出する遊技媒体数はいかなるものであっても良い。特に、硬貨処理部を設ければ、いかなる遊技媒体数を投出する場合であっても対応することが可能となる。
【実施例２】
【００５１】
ところで、上記実施例１では、デビット決済された決済額の一部を遊技媒体（パチンコ玉又はメダル）として投出し、残りを紙幣として払い出す場合を示したが、遊技媒体の投出を伴うこととすると、この遊技媒体の補充処理が必要となるうえ、遊技客が遊技媒体を遊技台まで持ち運ばねばならない。このため、本実施例２では、かかる遊技媒体を一旦投出した後に回収し、全額をキャッシュアウトする場合を示すこととする。
【００５２】
図５は、本実施例２に係るデビット端末６００の外観構成を示す正面図である。同図に示すように、このデビット端末６００の前面には、図２と同様に表示部３１０、テンキー３２０、デビットカード挿入口３４５、ご利用控出力口３３５、紙幣排出口３８２及び遊技媒体用受け皿３７３が設けられておる。加えて、このデビット端末６００には、図２に示すものと異なり精算ボタン６１０が設けられるとともに、上記遊技媒体用受け皿３７３に回収用ノズル６２０が配設されている。
【００５３】
ここで、この正面図を用いてデビット端末６００の操作概要を説明すると、まず遊技客は、デビットカード挿入口３４５にデビットカードを挿入するとともにテンキー３２０を用いて暗証番号と決済要求額を入力する。また、このデビット端末６００では、決済額の一部を遊技媒体として遊技媒体用受け皿３７３として投出し残りを紙幣で排出するため、この遊技媒体用受け皿３７３に投出する遊技媒体の種別すなわちパチンコ玉かメダルかをタッチパネル化されている表示部３１０上で選択する。遊技客によりデビット決済取引に必要な入力操作（デビットカードの挿入、暗証番号の入力及び決済要求額の入力）が行われると、デビット端末６００は情報処理センタ５１０に対してデビット決済要求を行う。
【００５４】
その後、情報処理センタ５１０によりデビット決済要求がデビット決済されると、選択された遊技媒体を所定数遊技媒体用受け皿３７３に払い出すとともに、残額の紙幣を紙幣排出口３８２から排出し、ご利用控出力口３３５からレシートを出力する。同図においては、表示部３１０上でメダルが選択され、遊技媒体用受け皿３７３に所定枚数のメダルを払い出す場合を示している。
【００５５】
ここで、この遊技媒体用受け皿３７３への遊技媒体の投出から所定期間内に精算ボタン６１０が押下されると、遊技媒体用受け皿３７３に所在する遊技媒体が回収ノズル６２０を介してデビット端末６００内部に回収され、回収分の現金を紙幣排出口３８２から排出する。
【００５６】
このようにして、遊技客は、デビット端末６００を用いて所定数の遊技媒体と紙幣を取得できるだけではなく、精算ボタン６１０を押下することによってデビット決済額の全額をキャッシュアウトすることができるため、デビット端末６００への遊技媒体の補充回数を低減できるとともに、遊技客が遊技媒体を運搬する必要をなくすことができる。
【００５７】
図６は、本実施例２に係るデビット端末６００の内部構成を示す機能ブロック図である。同図に示すように、このデビット端末６００は、図３に示したデビット端末３００に玉／メダル回収機構６３０が付加されている。
【００５８】
この玉／メダル回収機構６３０は、遊技媒体の投出後所定時間内に精算ボタン６１０が押下された場合に、遊技媒体用受け皿３７３に所在するパチンコ玉又はメダルを回収用ノズル６２０を介して回収し、回収したパチンコ玉又はメダルを計数して計数結果を制御部３９０に出力する処理部である。なお、この制御部３９０は、玉／メダル回収機構６３０から計数結果を受け取ったならば、この計数結果に対応する紙幣を紙幣払出処理部３８０に払い出すよう制御する。
【００５９】
次に、本実施例２に係るデビット端末６００の処理手順について説明する。図７は、本実施例２に係るデビット端末６００の処理手順を示すフローチャートである。なお、ここでは説明の便宜上、精算ボタン６１０が押下された場合に、デビット決済額全額を一度に払い出すこととする。
【００６０】
同図に示すように、このデビット端末６００は、デビットカード挿入口３４５に挿入されたデビットカードを受け付け（ステップＳ２０１）、デビットカード処理部３４０がこのデビットカードからカードＩＤを読み取る。
【００６１】
また、テンキー３２０を使って顧客により入力された暗証番号及び決済要求額を受け付け（ステップＳ２０２〜Ｓ２０３）、情報処理センタ５１０に対して決済要求を行う（ステップＳ２０４）。その結果、情報処理センタ５１０が残高不足等を理由に決済要求を受け付けない場合には（ステップＳ２０５否定）、決済未完を表示部３１０に表示して（ステップＳ２１２）処理を終了する。処理終了後、挿入されたデビットカードを返却する（ステップＳ２１４）。
【００６２】
これに対して、情報処理センタ５１０から決済完了通知を受け取った場合には（ステップＳ２０５肯定）、投出する遊技媒体種別を表示部３１０上に表示して遊技客によるパチンコ玉又はメダルの指示選択を受け付け（ステップＳ２０６）、投出するパチンコ玉数若しくはメダル数と釣り銭を算出する（ステップＳ２０７）。本実施例２においても上記実施例１と同様に１０００円分のパチンコ玉又はメダルを投出することとし、決済額から１０００円を除いた額を釣り銭とすることとする。
【００６３】
そして、算出されたパチンコ玉又はメダルを遊技媒体用受け皿３７３に投出するとともに（ステップＳ２０８）、精算ボタン６１０が押下された場合には、投出分のパチンコ玉又はメダルを回収し（ステップＳ２０９）、デビット決済額全額の紙幣を紙幣排出口３８２に払い出し（ステップＳ２１０）、表示部３１０上に取引完了を表示する（ステップＳ２１１）。取引完了後、ご利用控え出力口３３５からレシートを発行し（ステップＳ２１３）、挿入されたデビットカードを返却する（ステップＳ２１４）。
【００６４】
上述してきたように、本実施例２では、デビットカード挿入口３４５に挿入されたデビットカードのカードＩＤとテンキー３２０により入力された暗証番号と決済要求額を受け付けて情報処理センタ５１０にデビット決済要求を行い、このデビット決済要求に応答して決済された決済額の一部に対応するパチンコ玉又はメダルを遊技媒体用受け皿３７３に投出させるとともに、精算ボタン６１が押下された場合に回収ノズル６２０を介して遊技媒体用受け皿３７３からパチンコ玉又はメダルを回収し、デビット決済額全額の紙幣を紙幣排出口３８２に排出させるよう構成したので、遊技客はデビット決済額全額を入手できるため、プリペイドカードや飲料等の不要な現物購入を伴うことなくデビット決済システムを用いて継続的かつ効率的に遊技を行うことができる。
【００６５】
なお、上記実施例１及び２では、プリペイドカード対応型のいわゆるＣＲパチンコ機やＣＲパチスロ機ではない場合を説明したが、図８に示したように、カード発行機７００とデビット端末３００を一体化し、玉／メダル用受け皿７５０及び紙幣挿入／排出口７４０をカード発行機７００側に設け、デビット端末３００では遊技媒体の投出指示及び紙幣の払い出し指示をカード発行機７００に行うよう構成することにより、デビット端末３００の小型化及び省スペース化を図ることもできる。かかる構成は、プリペイドカードを利用するパチンコ機と現金機のパチンコ機が併設されているパチンコ店に適している。図中に示すカード発行機７００上の表示部７１０、金額選択ボタン７２０及びカード発行／挿入口７３０は、プリペイドカードを発行する場合に利用される部位である。
【００６６】
また、本実施例１及び２では、デビット決済システムを用いる場合を示したが、本発明はこれに限定されるものではなく、マルチペイメントネットワーク（ＭＰＮ）等の他の決済システムを用いた場合に適用することもできる。
【産業上の利用可能性】
【００６７】
本発明にかかる決済端末装置及び決済制御方法は、不要な現物購入を伴うことなく決済システムを用いて遊技客による継続的かつ効率的な遊技を可能にする場合に有用である。
【図面の簡単な説明】
【００６８】
【図１】本実施例１に係るデビット決済システムの全体構成を示す図である。
【図２】図１に示したデビット端末の外観構成を示す正面図である。
【図３】図１に示したデビット端末の内部構成を示す機能ブロック図である。
【図４】図１に示したデビット端末の処理手順を示すフローチャートである。
【図５】本実施例２に係るデビット端末の外観構成を示す正面図である。
【図６】本実施例２に係るデビット端末の内部構成を示す機能ブロック図である。
【図７】本実施例２に係るデビット端末の処理手順を示すフローチャートである。
【図８】カード発行機とデビット端末を一体化した変形例を示す図である。
【符号の説明】
【００６９】
１００  パチンコ機
１１０  玉貸出機
１２０  パチスロ機
１３０  メダル貸出機
２００  島コントローラ
３００  デビット端末
３１０  表示部
３２０  テンキー
３３０  印字部
３３５  ご利用控出力口
３４０  デビットカード処理部
３４５  デビットカード挿入口
３５０，３６０  通信インターフェース部（通信Ｉ／Ｆ部）
３７０  玉／メダル投出制御部
３７１  メダル投出機構
３７２  パチンコ玉投出機構
３７３  遊技媒体用受け皿
３８０  紙幣払出処理部
３８１  ビルバリユニット
３８２  紙幣排出口
３９０  制御部
４００  ターミナルコントローラ（Ｔ／Ｃ）
５００  公衆回線網
５１０  情報処理センタ
５２０  ＣＡＦＩＳネットワーク
５２１  クリアリングセンタ
５３０  デビットカード発行銀行（遊技客の口座が設けられている銀行）
５４０  加盟店銀行（情報処理センタの口座が設けられている銀行）
５５０  △△銀行（パチンコ店の口座が設けられている銀行）
６００  デビット端末
６１０  精算ボタン
６２０  回収用ノズル
６３０  玉／メダル回収機構
【図１】
2006346124.tif 000003
【図２】
2006346124.tif 000004
【図３】
2006346124.tif 000005
【図４】
2006346124.tif 000006
【図５】
2006346124.tif 000007
【図６】
2006346124.tif 000008
【図７】
2006346124.tif 000009
【図８】
2006346124.tif 000010